(57)【特許請求の範囲】
【請求項１】
上面に凹部を有した複数のベースブロックが、その側面どうしが所定の隙間を有するようにして地盤上に隣り合うように敷設され、前記隙間に緑化用のほふく性の植物が直接的に植設されるかまたはその種子が施され、且つ前記凹部は植物のほふく茎部分の根付用部位とされ、
ベースブロックは、骨材を配合して形成されたポーラス性のコンクリートブロックであり、骨材によるコンクリートブロック上面の凹部が植物のほふく茎部分の根付用部位とされ、
コンクリートブロックに配合する骨材の粒度が調節されていることにより、該粒度の相違によるコンクリートブロックの上面の凹部の大きさが、コンクリートブロックの敷設方向で順次調節されていることを特徴とする緑化設備。
【請求項２】
隣合う前記ベースブロックどうしは、その高さ方向下側ほど相対的に離間するようにベースブロックの側面の全部または下部が傾斜して形成され、ベースブロックの間の隙間には植物植付用客土が充填されていることを特徴とする請求項１記載の緑化設備。
【請求項３】
ベースブロックの上面の凹部には植物植付用客土が充填されていることを特徴とする請求項１に記載の緑化設備。
【請求項４】
ベースブロックどうしの隙間を確保するために、ベースブロックの側面に、隣り合うベースブロックの側面に接触する膨出部が設けられていることを特徴とする請求項１ないし請求項３の何れかに記載の緑化設備。
【請求項５】
側面に膨出部が設けられるとともに粒度が調節された骨材を配合することで上面に凹部が形成されたポーラス性のコンクリートブロックをベースブロックとして、
前記膨出部を隣り合うベースブロックの側面に当接させることで、敷設方向の隙間を介して、緑化しようとする領域の一方側から他方側に向けて、前記粒度が調節されることで前記凹部の寸法を異ならせたコンクリートブロックを地盤上に敷設し、
前記隙間に充填した植物植付用客土にほふく性の植物を直接的に植設するかまたはその種子を施し、且つ前記凹部を前記植物のほふく茎部分の根付用部位として用いることを特徴とする緑化工法。
【発明の詳細な説明】
【技術分野】
【０００１】
本発明は、粒状骨材を結合させたベースを用いるようにした緑化設備および緑化工法に関する。
【背景技術】
【０００２】
従来から、粒状骨材を結合させたベースブロックを地盤に敷設し、該ベースブロックに地被植物等の緑化用の植物を植設するようにした緑化設備および緑化工法が提案されている。これは、粒状骨材の粒度を調整することで、ベースブロックを、その内部に多数の空隙を形成した多孔性（ポーラス）とし、空隙に植物の根が入り込むようにしている。
【特許文献１】特開昭６１−１５６２５号公報
【発明の開示】
【発明が解決しようとする課題】
【０００３】
しかしながら、ベースブロックが多孔性であったとしても、緑化用の植物の根がベースブロックの空隙にうまく入るようにして伸びるといったことは難しいから、植物が枯れやすいといった課題がある。
【０００４】
そこで本発明は、緑化用の植物が枯れてしまうことを抑えて緑化を確実に行い得る緑化設備および緑化工法の提供を目的とする。
【課題を解決するための手段】
【０００５】
本発明の緑化設備は、上面に凹部を有した複数のベースブロックが、その側面どうしが所定の隙間を有するようにして地盤上に隣り合うように敷設され、前記隙間に緑化用のほふく性の植物が直接的に植設されるかまたはその種子が施され、且つ前記凹部は植物のほふく茎部分の根付用部位とされ、ベースブロックは、骨材を配合して形成されたポーラス性のコンクリートブロックであり、骨材によるコンクリートブロック上面の凹部が植物のほふく茎部分の根付用部位とされ、コンクリートブロックに配合する骨材の粒度が調節されていることにより、該粒度の相違によるコンクリートブロックの上面の凹部の大きさが、コンクリートブロックの敷設方向で順次調節されていることを特徴としている。
上記構成のように、ベースブロックどうしを隙間を置いて地盤上に配置して隙間に植物を施すので、植物が確実に根付いて枯れにくく、しかも植物をほふく性の植物とすることにより、ベースブロックの上面の凹部を、植物のほふく茎部分の根付用部位として、植物がいっそう確実に根付いて緑化される。
上記構成のように、コンクリートブロックの上面の凹部の大きさをコンクリートブロックの敷設方向で調節したものを敷設することで、植物の植生の密度（繁茂度合）を、コンクリートブロックの敷設方向で調節することが可能になるから、グラデーションを施すことが可能となり、サービス性が向上する。
【０００６】
本発明の緑化設備では、隣合うベースブロックどうしは、その高さ方向下側ほど相対的に離間するようにベースブロックの側面の全部または下部が傾斜して形成され、ベースブロックの間の隙間に植物植付用客土が充填されていることを特徴としている。
上記構成において、ベースブロックの側面の全部または一部（下部）が、高さ方向下側ほど相対的に離間するように傾斜しているから、その分だけ隣合うベースブロックどうしの間の隙間を大きくしてそこに植物植付用客土を多く充填することができ、植物が容易に根付くようになる。
【０００７】
本発明の緑化設備では、ベースブロックは、骨材を配合して直方体形状に形成されたポーラス性のコンクリートブロックであり、該コンクリートブロックは地盤上に升目状に敷設され、骨材によるコンクリートブロック上面の凹部が植物のほふく茎部分の根付用部位とされていることを特徴としている。
直方体形状のコンクリートブロックを用いることにより、コンクリートブロックを整然と並べ易いからその分だけ升目状に敷設する施工が容易であり、骨材の粒径を調節することでコンクリート上面の凹部の大きさを容易に調節可能である。
なお、ベースブロックの上面に形成されている凹部は、ポーラス性のコンクリートブロックにおいて使用している骨材の粒度や表面形状に応じて形成されている内部の空隙が、表面に投影化された形態として露呈することで形成されているものである。
【０００９】
本発明の緑化設備では、ベースブロックの上面の凹部には植物植付用客土が充填されていることを特徴としている。
このように、凹部に植物植付用客土を充填することでほふく性の植物の根付けが確実になる。
【００１０】
本発明の緑化設備では、ベースブロックどうしの隙間を確保するために、ベースブロックの側面に、隣り合うベースブロックの側面に接触する膨出部が設けられていることを特徴としている。
この構成によれば、ベースブロックを敷設する際に膨出部を隣り合うベースブロックの側面に当接させるようにすることで、必要な隙間を容易に確保しつつベースブロックを敷設することが可能となる。
【００１１】
本発明の緑化工法は、側面に膨出部が設けられるとともに粒度が調節された骨材を配合することで上面に凹部が形成されたポーラス性のコンクリートブロックをベースブロックとして、前記膨出部を隣り合うベースブロックの側面に当接させることで、敷設方向の隙間を介して、緑化しようとする領域の一方側から他方側に向けて、前記粒度が調節されることで前記凹部の寸法を異ならせたコンクリートブロックを地盤上に敷設し、前記隙間に充填した植物植付用客土にほふく性の植物を直接的に植設するかまたはその種子を施し、且つ前記凹部を前記植物のほふく茎部分の根付用部位として用いることを特徴としている。
上記のように、ベースブロックの側面に設けた膨出部を隣り合うベースブロックの側面に当接させることで、容易に隙間を確保した状態でベースブロックをその敷設方向に、且つ地盤上に敷設することができ、隙間にほふく性の植物を直接的に植設するかまたはその種子を施すことで、確実に植物を根付かせることができ、ベースブロックの上面の凹部を植物のほふく茎部分の根付用部位とすることが可能となるから、植物をいっそう確実に根付かせることができ、確実に緑化することができる。
この工法によれば、緑化しようとする領域の一方側から他方側に向けて、意図的に植物の植生を繁茂状態や乏しい状態とすることが可能であるから、容易に緑化のグラデーションができる。ポーラス寸法、すなわち凹部が大きければ植物は根付き易く、ポーラス寸法、すなわち凹部が小さければ植物は根付きにくいからである。
【００１２】
本発明の緑化工法では、骨材を配合して直方体形状に形成したポーラス性のコンクリートブロックをベースブロックとし、コンクリートブロックどうしに隙間を置いて該コンクリートブロックどうしを地盤に升目状に敷設し、該隙間にほふく性の植物を施し、骨材によるコンクリートブロックの上面の凹部を、植物のほふく茎部分の根付用部位として用いることを特徴としている。
上記のように、直方体形状のコンクリートブロックは整然と並べ易いからその分だけ升目状に敷設する施工を容易に行うことができ、コンクリートブロックを形成する骨材の粒径を調節することでコンクリート上面の凹部の大きさを容易に調節して、周囲の環境や施す植物の生態に応じた緑化を実現することができる。
【００１４】
なお、升目状について述べると、複数のコンクリートブロックを連結して舗装面を形成した場合、舗装面にはコンクリートブロックの境界線による連続模様が表れる。この連続模様は、コンクリートブロックの連結の仕方により異なるものとなる。一般的な連続模様としては、複数の矩形状のコンクリートブロックの短辺と短辺、長辺と長辺を互いに揃えて付き合わせ、コンクリートブロックを単純に縦横に配列したイモ貼り、コンクリートブロックの短辺と短辺を揃えて付き合わせて所定の列を複数形成し、この列を長辺の２分の１の長さ分交互に変位させて配列したレンガ貼り（千鳥貼り、ウマ貼りともいう）等が知られており、本願発明では、何れの貼り方も採用することができる。
【発明の効果】
【００１５】
本発明によれば、上面に凹部を有するベースブロックどうしが地盤上に隙間を置いて敷設され、隙間にほふく性の植物が施されているから植物を確実に根付かせることができ、しかも植物をほふく性の植物としているから、植物のほふく茎部分ではこれがベースブロックの上面の凹部に根付いて植物が枯れにくく、したがって確実に緑化をすることができる。
【発明を実施するための最良の形態】
【００１６】
以下、本発明の実施形態に係る緑化設備を図面に基づいて説明する。まず、図１ないし図４に基づいて、本発明の第一の実施形態を説明する。
図１は本発明の第一の実施形態を示す緑化設備の一部を表した側面断面図、図２はベースブロックの敷設状態の一部を示す平面図、図３はベースブロックの単体側面図、図４はベースブロックの一部拡大平面図である。
【００１７】
これらの図に示すように、第一の実施形態における緑化設備１では、少なくとも上面２に凹部３を有するベースブロック４が用いられる。
具体的に、ベースブロック４は、骨材５としての砕石を配合して、平面視して略矩形の直方体形状に形成されたポーラス性コンクリートブロックとされる。
すなわち、上面２に形成されている凹部３は、この実施形態の場合では、ポーラス性コンクリートブロック内の空隙Ａが表面に投影化された形態として露呈しているものである。つまり、凹部３の大きさは、コンクリートブロックを製造する際に混入される骨材５の粒度に依存して、骨材５の粒度が大きければ大きくなるといった規則性を有する。また、その形状は骨材５の表面粗度や表面形状に依存する傾向にある。
【００１８】
骨材５の砕石寸法として、砕石５号、砕石６号、砕石７号等が必要に応じて選択されて用いられる。なお、砕石５号、砕石６号、砕石７号の順でポーラス寸法は大、中、小の寸法となる。また、ベースブロック４の圧縮強度として、例えば１８Ｎ／ｍｍ２以上、連続空隙率２０％以上に設定されている。
そしてこの場合、緑化領域に用いられるベースブロック４の全てに同じ砕石寸法（例えば砕石５号）のものが使用されている。
【００１９】
ベースブロック４はその上面２に研磨（研削仕上）が施されており、したがって、上面２に露呈しているコンクリート６部分や骨材５は同一平面上にあって平坦に形成されている。上面２を平坦に加工することで、後述のようにして敷設されたベースブロック４における歩行性を確保している。
単体において上記構成を有するベースブロック４が、地盤７上に隙間８を置いて升目状に敷設されている。この隙間８としては、ベースブロック４の敷設方向に所定の幅Ｌを有する隙間８であって、この場合の隙間８は上下方向に同一の幅に設定されている。また隙間８の前記幅Ｌとして、例えば２〜７ｍｍに設定されている。この寸法は、例えばハイヒールのヒール部分が入り込まない寸法である。
この寸法は、ベースブロック４の、鉛直方向の側面１０に形成した膨出部１１によって容易に確保できるようにしている。すなわちベースブロック４の四つの側面１０には、前記寸法分だけ側方に突出する膨出部１１が、側面１０の一方側に位置ずれして配置されている。なお、この場合の膨出部１１は平面視して半円形に形成されており、その上下長さはベースブロック４の上下高さ（例えば６０ｍｍ）全部に亘る。
【００２０】
地盤７は、路盤１２としてのクラッシャランを例えば１００ｍｍ厚で敷設し、その上に敷砂層１３を例えば５０ｍｍ厚で敷設することで施工される。そして、敷砂層１３の上面に前記ベースブロック４が敷設される。敷砂層１３として、植生用客土が用いられる。
隙間８には目地砂１４が充填され、固形肥料が混入されている。目地砂１４として目土が用いられる。
【００２１】
そして、多数（複数）のベースブロック４が、緑化計画に必要な領域において敷設されており、隙間８にはほふく性（匍匐性）の植物１５が、その種子１６が散布されることで施されている。
また、凹部３に目土１７が充填されて、目土１７にもほふく性の植物１５の種子１６が散布されており、凹部３は、植物１５のほふく茎部分１８の根付用部位を兼用する部分として用いられる。
ほふく性の植物１５として特に限定されるものではないが、一例に、芝系としてゴルフコース、スポーツ競技場、公園、家庭用芝生、河川敷や堤防、道路の法面などに広く利用されるバミューダーグラス等が好適である。特に、バミューダーグラスの中でも「リビエラ」は、長い地上および地下のほふく茎でよく増殖し、葉は繊細で細く密度の高い芝であり、耐暑性、耐早性、および耐踏圧性に優れるといった点で、緑化植物として好適である。
【００２２】
ここで、上記構成の緑化設備１の構築手順、緑化工法を説明する。まず、緑化しようとする領域に路盤１２、敷砂層１３とからなる地盤７を、転圧・敷均しを含めた施工を行う。
続いて、地盤７の上面にベースブロック４を隣合うように順次敷設する。このとき、隣合うベースブロック４の膨出部１１どうしが、隣合うベースブロック４の側面１０に側方から当接するようにすれば、ベースブロック４の側面１０どうしは、膨出部１１の膨出寸法分だけの隙間８を置いて配置されることになる。そして、膨出部１１は側面１０の一方側に位置ずれして配置されているから、隣合うベースブロック４の側面１０どうしは接触することがなく、作業者が積極的に隙間８を形成するように施工することなく隙間８を形成することができ、隙間８を形成しつつベースブロック４を敷設することができる。
次に、固形肥料を混入した目地砂１４を、敷設したベースブロック４の上面２上に掃き均すようにして、主として隙間８に目地砂１４を充填し、ベースブロック４を転圧し、植物１５の種子１６を目地砂１４および凹部３に散布する。さらに目土１７を凹部３に散布するようにして充填し、一般的に用いられる養生シートを敷設して散水・養生し、植物１５の繁殖を待つことで緑化する。
【００２３】
上記のように、ベースブロック４を隙間８を置いて敷設し、隙間８に目地砂１４を充填して植物１５を施す（例えば、種子１６を散布する）ようにしたから、植物１５が根付き易くなって枯れにくく、したがって緑化が効果的になされる。そして隙間８に根付いた植物１５は、その根がさらに敷砂層１３にまで回るよう成長することで、いっそう確実に根付くようになる。しかも植物１５をほふく性のものとすることで、ベースブロック４の上面２の凹部３が植物１５のほふく茎部分１８の根付用部位となるから、いっそう確実に植物１５を根付かせることができ、緑化がされ易くなって、しかも植物１５の長寿命化を図ることができる。
また、ベースブロック４は所定の強度を付与したうえでのポーラス性のコンクリートであるから、軽量化を図ったうえでしかも荷重に耐え得るといった点で優れている。
【００２４】
本発明は上記第一の実施形態に限定されるものではない。図５および図６には本発明の第二の実施形態を示す。図５は緑化設備１の一部を表した側面断面図、図６はベースブロック４を敷設方向に並べた一部を示す側面図である。第二の実施形態が第一の実施形態と異なる部分は、ベースブロック４の形状である。
【００２５】
これらの図に示すように、ベースブロック４は、その側面２０の一部または全部が傾斜しており、隣合うベースブロック４どうしが、その高さ方向下側ほど相対的に離間するように敷設される。そして、ベースブロック４の間の隙間８に目地砂や植物植付用客土を充填するようにしている。
【００２６】
具体的に、ベースブロック４はその平面形状は図２で示したベースブロック４と同様である。しかしながら、側面２０の一部が傾斜しており、側面２０の上部２１は垂直面内にあって、下部２２がベースブロック４の中心側に向けて傾斜するよう形成され、これによって、第二の実施形態におけるベースブロック４は、全体として略角錐台形状に形成されている。
なお、ベースブロック４は膨出部１１を有し、膨出部１１は側面２０の上部２１のみに形成され、その形成位置は側面２０の一方側に位置ずれして配置されている。他の構成は上記第一の実施形態で示した緑化設備１と同様であるから、同一の符号を付してその説明を省略する。
【００２７】
この構成によれば、第一の実施形態に比べてベースブロック４間の隙間８の体積が大きくなるから、その分だけ隙間８に充填することのできる目地砂や植物植付用客土の量を多くすることができ、このことから植物１５をいっそう確実に、しかも容易に根付かせることができる。なお、隙間８に目地砂や植物植付用客土を充填するには、目地砂や植物植付用客土を、既に敷設してあるベースブロック４の上面２上に掃き均すようにすることで容易に施工することができる。
【００２８】
さらに、上記各実施形態では、緑化しようとする領域に用いられるベースブロック４の全てに同じ砕石寸法のものを使用した例を示したがこれに限定されるものではない。
例えば、凹部３の大きさの違いを利用することで緑化のグラデーションを図ることができる。ポーラス寸法、すなわち凹部３が大きければ植物１５は根付き易く、ポーラス寸法、すなわち凹部３が小さければ植物１５は根付きにくいからである。
例えば、図７の平面図に示す例では、緑化しようとする所定の領域において、ベースブロック４に異なる砕石寸法のものを使用している。図７ではベースブロック４の配置を、緑化しようとする領域の片側（一方側に相当する）から道路２５側（他方側に相当する）に向けてポーラス寸法が大、中、小となるように調節している。
このように、ベースブロック４の配置を、緑化しようとする領域の片側から道路（歩道を含む）２５側に向けてポーラス寸法が大、中、小となるように調節することで、道路２５に遠い側から道路２５に近い側に向けて、植物１５の植生が繁茂の状態から順次植生が乏しい状態にして自然な景観となり、しかも道路２５に近い側では植生が乏しい状態とすることで、植物１５が走行や歩行に邪魔になるといった環境を回避することができる。
なお、図７では斜線間の幅の相違によって、植物１５の繁茂度合の相違を表している。
【００２９】
さらに、上記実施形態ではベースブロック４は直方体形状（角錐台形状）に形成したが、これに限定されるものではなく、例えば円柱状や円錐台形状、あるいは平面視してアーチ形状である円弧板形状等、種々考えられる。また、角柱形状（例えば三角柱、五角柱、六角柱）が考えられる。
しかしながら、何れの形状のベースブロックであっても、その側面を敷設方向で対向させて敷設方向に隙間を介して配置し、当該隙間には目地砂や植物植付用客土を充填するようにして、ほふく性植物を植設や、種散布によって施すようにすることで、上記実施形態と同様の作用効果を奏することができる。
【００３０】
また、上記各実施形態では膨出部１１は全てのベースブロック４の側面に形成しているが、これに限定されるものではなく、隣り合うベースブロック４の一個置きに形成するようにして、ベースブロック４どうしの隙間８を確保しつつベースブロック４どうしを敷設することも可能である。
換言すれば、膨出部１１を有する一方のベースブロック４と膨出部１１を有しない他方のベースブロック４とを交互に敷設する構成とし、ベースブロック４の敷設の際に、一方のベースブロック４の膨出部１１のみを用いて隙間８を確保することも可能である。
【図面の簡単な説明】
【００３１】
【図１】本発明の第一の実施形態を示す緑化設備の一部を表した側面断面図
【図２】同じくベースブロックの敷設状態の一部を示す平面図
【図３】同じくベースブロックの単体側面図
【図４】同じくベースブロックの一部拡大平面図
【図５】本発明の第二の実施形態を示す緑化設備の一部を表した側面断面図
【図６】同じくベースブロックを敷設方向に並べた一部を示す側面図
【図７】ベースブロックの別の敷設方法を示す平面図
【符号の説明】
【００３２】
１…緑化設備、２…上面、３…凹部、４…ベースブロック、５…骨材、６…コンクリート、７…地盤、８…隙間、１０…側面、１１…膨出部、１２…路盤、１３…敷砂層、１４…目地砂、１５…植物、１６…種子、１７…目土、１８…茎部分、２０…側面、２１…上部、２２…下部、２５…道路、Ａ…空隙
【図１】
0005049818.tif 000002
【図２】
0005049818.tif 000003
【図３】
0005049818.tif 000004
【図４】
0005049818.tif 000005
【図５】
0005049818.tif 000006
【図６】
0005049818.tif 000007
【図７】
0005049818.tif 000008